【手続補正書】
【提出日】平成19年4月4日(2007.4.4)
【手続補正１】
【補正対象書類名】明細書
【補正対象項目名】特許請求の範囲
【補正方法】変更
【補正の内容】
【特許請求の範囲】
【請求項１】  画像中に電子透かし情報を埋め込み処理可能な画像処理装置であって、
非回転対称なパターン配列を用いて位置情報および回転情報を含む電子透かしを埋め込む埋め込み手段を有することを特徴とする画像処理装置。
【請求項２】  前記非回転対称なパターン配列は、ｍ×ｎ個の要素からなる２次元マトリクスであることを特徴とする請求項１記載の画像処理装置。
【請求項３】  前記非回転対称なパターン配列は、
当該パターン配列と、該パターン配列を３６０度の整数倍の角度を除く任意の角度で回転させたものと、をそれぞれ中心が重なるように各要素を対応させた場合に、それぞれに対応する配列の要素の正または負の符号の全てが同一にならない、パターン配列であることを特徴とする請求項１記載の画像処理装置。
【請求項４】  位置情報および回転情報を含む電子透かし情報が埋め込まれた画像データから前記電子透かし情報を抽出可能な画像処理装置であって、
前記電子透かし情報が埋め込まれた画像データから前記回転情報を抽出するための処理を互いに異なる回転角について複数回行なう回転情報探索手段と、
前記画像データから前記位置情報を抽出するための処理を互いに異なる抽出開始位置について複数回行なう位置情報探索手段と、
前記回転情報探索手段と位置情報探索手段で探索し位置情報および回転情報として抽出した各情報について、該抽出された位置情報および回転情報の確からしさを示す信頼度を算出する算出手段と、
前記算出手段で算出した信頼度に基づいて前記画像データにおける前記電子透かし情報が埋め込まれている位置と回転角を判別する判別手段を有することを特徴とする画像処理装置。
【請求項５】  前記電子透かし情報は、さらに利用情報を含み、前記利用情報には装置のＩＤ或いはユーザＩＤが含まれることを特徴とする請求項４記載の画像処理装置。
【請求項６】  前記電子透かし情報は、さらに利用情報を含み、前記利用情報には装置を制御するための情報が含まれることを特徴とする請求項４記載の画像処理装置。
【請求項７】  前記算出手段は、前記画像データとｍ×ｎ個の係数からなるマトリクスとの演算を行なうことにより信頼度を算出することを特徴とする請求項４記載の画像処理装置。
【請求項８】  前記マトリクスとの演算は畳み込み演算であることを特徴とする請求項７記載の画像処理装置。
【請求項９】  更に、前記判別手段の判別結果に基づく前記画像データにおける位置を基準にして前記画像データに埋め込まれた電子透かし情報を抽出する抽出手段を有することを特徴とする請求項４乃至請求項８のいずれか１項に記載の画像処理装置。
【請求項１０】  画像処理装置において画像中に電子透かし情報を埋め込むための画像処理方法であって、
パターン配列に非回転対称なパターン配列を用いて位置情報および回転情報を含む電子透かしを埋め込むことを特徴とする画像処理方法。
【請求項１１】  画像処理装置において位置情報および回転情報を含む電子透かし情報が埋め込まれた画像データから該電子透かし情報を抽出するための画像処理方法であって、
前記画像データから前記回転情報を抽出するための処理を互いに異なる回転角について複数回行なうと共に、前記画像データから前記位置情報を抽出するための処理を互いに異なる抽出開始位置について複数回行ない、位置情報および回転情報として抽出し、抽出した各情報について、前記位置情報および回転情報を抽出したことの確からしさを示す信頼度を算出し、算出した前記信頼度に基づいて前記画像データにおける前記電子透かし情報が埋め込まれている位置と回転角を判別することを特徴とする画像処理方法。
【請求項１２】  コンピュータを請求項１乃至請求項９のいずれか１項に記載の画像処理装置として機能させるためのプログラム。
【請求項１３】  請求項１２に記載のプログラムを記録したコンピュータ読み取り可能な記録媒体。
【手続補正２】
【補正対象書類名】明細書
【補正対象項目名】０００９
【補正方法】変更
【補正の内容】
【０００９】
即ち、画像中に電子透かし情報を埋め込み処理可能な画像処理装置であって、非回転対称なパターン配列を用いて位置情報および回転情報を含む電子透かしを埋め込む埋め込み手段を有することを特徴とする
【手続補正３】
【補正対象書類名】明細書
【補正対象項目名】００１１
【補正方法】変更
【補正の内容】
【００１１】
また例えば、前記非回転対称なパターン配列は、当該パターン配列と、該パターン配列を３６０度の整数倍の角度を除く任意の角度で回転させたものと、をそれぞれ中心が重なるように各要素を対応させた場合に、それぞれに対応する配列の要素の正または負の符号の全てが同一にならない、パターン配列であることを特徴とする。
【手続補正４】
【補正対象書類名】明細書
【補正対象項目名】００１２
【補正方法】変更
【補正の内容】
【００１２】
また、位置情報および回転情報を含む電子透かし情報が埋め込まれた画像データから前記電子透かし情報を抽出可能な画像処理装置であって、前記電子透かし情報が埋め込まれた画像データから前記回転情報を抽出するための処理を互いに異なる回転角について複数回行なう回転情報探索手段と、前記画像データから前記位置情報を抽出するための処理を互いに異なる抽出開始位置について複数回行なう位置情報探索手段と、前記回転情報探索手段と位置情報探索手段で探索し位置情報および回転情報として抽出した各情報について、該抽出された位置情報および回転情報の確からしさを示す信頼度を算出する算出手段と、前記算出手段で算出した信頼度に基づいて前記画像データにおける前記電子透かし情報が埋め込まれている位置と回転角を判別する判別手段を有することを特徴とする。
【手続補正５】
【補正対象書類名】明細書
【補正対象項目名】００１３
【補正方法】変更
【補正の内容】
【００１３】
そして例えば、前記電子透かし情報は、さらに利用情報を含み、前記利用情報には装置のＩＤ或いはユーザＩＤが含まれることを特徴とする。
【手続補正６】
【補正対象書類名】明細書
【補正対象項目名】００１４
【補正方法】変更
【補正の内容】
【００１４】
また例えば、前記電子透かし情報は、さらに利用情報を含み、前記利用情報には装置を制御するための情報が含まれることを特徴とする。あるいは、前記算出手段は、前記画像データとｍ×ｎ個の係数からなるマトリクスとの演算を行なうことにより信頼度を算出することを特徴とする。または、前記マトリクスとの演算は畳み込み演算であることを特徴とする。
【手続補正７】
【補正対象書類名】明細書
【補正対象項目名】００１６
【補正方法】変更
【補正の内容】
【００１６】
更に、画像処理装置において画像中に電子透かし情報を埋め込むための画像処理方法であって、パターン配列に非回転対称なパターン配列を用いて位置情報および回転情報を含む電子透かしを埋め込むことを特徴とする。
【手続補正８】
【補正対象書類名】明細書
【補正対象項目名】００１７
【補正方法】変更
【補正の内容】
【００１７】
画像処理装置において位置情報および回転情報を含む電子透かし情報が埋め込まれた画像データから該電子透かし情報を抽出するための画像処理方法であって、前記画像データから前記回転情報を抽出するための処理を互いに異なる回転角について複数回行なうと共に、前記画像データから前記位置情報を抽出するための処理を互いに異なる抽出開始位置について複数回行ない、位置情報および回転情報として抽出し、抽出した各情報について、前記位置情報および回転情報を抽出したことの確からしさを示す信頼度を算出し、算出した前記信頼度に基づいて前記画像データにおける前記電子透かし情報が埋め込まれている位置と回転角を判別することを特徴とする。